(57)【要約】      （修正有）【課題】打席テーブルを容易な操作によって任意の方向に任意の角度傾斜させることができるようにしたゴルフ練習機を、簡素かつコンパクトな装置で実現する。【解決手段】ベース２と、ベース２の中央部に軸支され駆動モータ１４によって回転駆動させられる駆動軸と、駆動軸の上端に固定された回転板３と、回転板３の中央部に軸支されて水平支持ピン２３回りに傾斜可能とされた揺動軸と、揺動軸の上端に固定されて水平支持ピン２３回りに傾斜可能とされた揺動板４と、揺動軸の下端部を移動させて揺動板４の傾斜角度を調整するネジ棒と、ネジ棒を正逆回転させる駆動モータと、両駆動モータを制御する制御部と、揺動板４の上面に固定された打席テーブル５と、揺動板４の傾斜を許容して打席テーブル５とベース２とを互いに連結する連結部材５０とを備える。【選択図】図１
0003109398.tif 000002
【実用新案登録請求の範囲】
【請求項１】
ベースと、このベースの略中央部に軸支され駆動モータによって回転駆動させられる上向きの駆動軸と、この駆動軸の上端に固定された回転板と、この回転板の略中央部に軸支されて水平支持軸回りに傾斜可能とされた上向きの揺動軸と、この揺動軸の上端に固定されて前記揺動軸とともに前記水平支持軸回りに傾斜可能とされるとともに前記回転板に対し自由回転可能とされた揺動板と、前記揺動軸の下端部を移動させて前記揺動板の傾斜角度を調整する傾斜角度調整用のネジ棒と、前記回転板上に配置されて前記傾斜角度調整用のネジ棒を正逆回転させる駆動モータと、それら両駆動モータを制御するための制御部と、前記揺動板の上面に固定された打席テーブルと、前記揺動板の傾斜を許容して前記打席テーブルと前記ベースとを互いに連結する連結部材と、を備えたことを特徴とするゴルフ練習機。
【請求項２】
前記傾斜角度調整用のネジ棒と螺合しこのネジ棒の正逆回転によって前進・後退するナット部と、前記揺動軸の下端部に環装される揺動軸支え部と、この揺動軸支え部と前記ナット部とを互いに連結する連結部とを備えたことを特徴とする請求項１に記載のゴルフ練習機。
【請求項３】
前記ナット部が設置される揺動軸ガイド板と、回転板の略中央位置に設けられ前記揺動軸支え部をネジ軸の軸線と平行に案内するガイド溝とを備えたことを特徴とする請求項２に記載のゴルフ練習機。
【請求項４】
前記揺動軸の両脇に位置して前記回転板上に取り付けられ前記水平軸部を両側から支持する一対の支持板と、各支持板を補強する補強板とを備えたことを特徴とする請求項１乃至請求項３に記載のゴルフ練習機。
【請求項５】
前記連結部材として、ゴム板が用いられ、このゴム板が、前記打席テーブルと前記ベースとの間で撓み部を有するように連結されてなることを特徴とする請求項１に記載のゴルフ練習機。
【請求項６】
前記連結部材として、ばね部材が用いられ、このばね部材が前記打席テーブルと前記ベースとの間を常時引っ張り合うように連結されてなることを特徴とする請求項１に記載のゴルフ練習機。
【請求項７】
前記制御部が、制御盤側の受信器と、使用者側のリモコン式送信器を備えたことを特徴とする請求項１に記載のゴルフ練習機。
【考案の詳細な説明】
【技術分野】
【０００１】
本考案は、ゴルフ練習機に係り、特に打席テーブルを任意の方向に任意の角度傾斜させて設定できるようにして、ゴルフ場で遭遇する種々の場面を想定した練習をゴルフ練習場において行うことができるようにしたゴルフ練習機に関する。
【背景技術】
【０００２】
従来、ゴルフ練習場においては、平坦面に練習者が立ち、平坦な位置にセットされたゴルフボールをクラブでショットしていた。しかし実際のゴルフコースでプレイする場合は、平坦なフェアウェイだけでなく起伏があるため、たとえばバンカーや山などの斜面にオンしたゴルフボールを打つ場合、前かがみになったり、後ろに反った状態になる。このため、平地で打つ場合とは異なる技術が必要になる。しかし、現在のゴルフ練習場では、傾斜地でのゴルフ練習ができず、実情に沿わないという問題があった。
【０００３】
この問題を解決するため、打席盤の下部に傾斜機構および回転機構を配設し、打席盤を任意の傾斜角度に設定できるようにしたゴルフ練習機が提案されている（特許文献１参照）。また、３６０度方向に任意の傾斜をつくることのできるゴルフ練習機も提案されている（特許文献２参照）。
【０００４】
【特許文献１】特開平６−５４９３６号公報
【特許文献２】特開平７−８０１０８号公報
【考案の開示】
【考案が解決しようとする課題】
【０００５】
しかし、前者のゴルフ練習機は、傾斜機構および回転機構にチェーンを使用し、また、ベース上、揺動板上のそれぞれに複数個のローラを設置する等、装置が大型化、複雑化する問題があり、簡素でコンパクトな装置であるとは言い難い。また、後者のゴルフ練習機は、油圧ポンプおよび３本の油圧シリンダを使用するため、油圧配管が複雑化する問題があり、これも簡素でコンパクトな装置であるとは言い難い。
【０００６】
本考案は、上記した従来技術の欠点を除くためになされたものであって、その目的とするところは、打席テーブルを任意の方向に任意の角度傾斜させることができるようにして、ゴルフ場で遭遇する種々の場面を想定した練習をゴルフ練習場において行うことができるようにしたゴルフ練習機を、簡素かつコンパクトな装置で実現することにある。
【０００７】
また他の目的は、容易に打席テーブルを任意の方向に任意の角度傾斜させることができるようにして、使い勝手に優れたゴルフ練習機を実現することにある。
【課題を解決するための手段】
【０００８】
上記の課題を解決するために、本考案の請求項１に係るゴルフ練習機は、ベースと、このベースの略中央部に軸支され駆動モータによって回転駆動させられる上向きの駆動軸と、この駆動軸の上端に固定された回転板と、この回転板の略中央部に軸支されて水平支持軸回りに傾斜可能とされた上向きの揺動軸と、この揺動軸の上端に固定されて前記揺動軸とともに前記水平支持軸回りに傾斜可能とされるとともに前記回転板に対し自由回転可能とされた揺動板と、前記揺動軸の下端部を移動させて前記揺動板の傾斜角度を調整する傾斜角度調整用のネジ棒と、前記回転板上に配置されて前記傾斜角度調整用のネジ棒を正逆回転させる駆動モータと、それら両駆動モータを制御するための制御部と、前記揺動板の上面に固定された打席テーブルと、前記揺動板の傾斜を許容して前記打席テーブルと前記ベースとを互いに連結する連結部材と、を備えることを特徴とする。
【０００９】
請求項１に係るゴルフ練習機によると、傾斜用の駆動モータを駆動して直立姿勢の揺動軸の下端部をゆっくりと移動させると、揺動板が揺動軸とともに水平支持軸回りに所望の角度ゆっくりと傾斜する。また、回転用の駆動モータを駆動して駆動軸回りに回転板をゆっくりと回転させると、回転板上の前記傾斜姿勢の揺動軸が駆動軸回りにゆっくりと揺動し、揺動軸とともに揺動板がゆっくりと揺動する。揺動板を傾斜または揺動させることによって、揺動板上の打席テーブルを任意の方向に任意の角度だけ傾斜させることが可能である。
【００１０】
回転板を回転させても、回転板に対し揺動板が自由回転可能とされ、打席テーブルが連結部材によってベースに連結されているから、打席テーブルが回転することはなく、打席テーブルが常に同じ方向を向くようにすることができる。このため、打席テーブルから一旦降りて、打席テーブルを回転させて傾斜の向きを変更するといった不便な作業が要らず、使い勝手がよい。
【００１１】
チェーン駆動や複数個のローラを配置せず、油圧ポンプとその配管も設置しないので、簡素かつコンパクトなゴルフ練習機を得ることができる。
【００１２】
請求項２に係るゴルフ練習機は、前記傾斜角度調整用のネジ棒と螺合しこのネジ棒の正逆回転によって前進・後退するナット部と、前記揺動軸の下端部に環装される揺動軸支え部と、この揺動軸支え部と前記ナット部とを互いに連結する連結部とを備えることを特徴とする。
【００１３】
請求項２に係るゴルフ練習機によると、簡素かつコンパクトな機構で、揺動板を揺動させる揺動機構を得ることができる。
【００１４】
請求項３に係るゴルフ練習機は、前記ナット部が設置される揺動軸ガイド板と、回転板の略中央位置に設けられ前記揺動軸支え部をネジ軸の軸線と平行に案内するガイド溝とを備えることを特徴とする。
【００１５】
請求項３に係るゴルフ練習機によると、揺動板を揺動させるにあたり、揺動軸の下端部をスムーズに移動させることができる。
【００１６】
請求項４に係るゴルフ練習機は、前記揺動軸の両脇に位置して前記回転板上に取り付けられ前記水平軸部を両側から支持する一対の支持板と、各支持板を補強する補強板とを備えることを特徴とする。
【００１７】
請求項４に係るゴルフ練習機によると、揺動板および揺動軸を回転板上に安定して支持することができる。
【００１８】
請求項５に係るゴルフ練習機は、前記連結部材としてゴム板を用い、このゴム板を前記打席テーブルと前記ベースとの間で撓み部を有するように連結してなることを特徴とする。
【００１９】
請求項５に係るゴルフ練習機によると、連結部材として撓み部を有するゴム板を使用することによって、連結部材が打席テーブルの傾斜および揺動に容易に追従し、傾斜角度の設定・変更や傾斜方向の設定・変更のそれぞれに柔軟に対応することができる。
【００２０】
請求項６に係るゴルフ練習機は、前記連結部材としてばね部材を用い、このばね部材を前記打席テーブルと前記ベースとの間を常時引っ張り合うように連結してなることを特徴とする。
【００２１】
請求項６に係るゴルフ練習機によると、連結部材としてばね部材を用い、このばね部材で前記打席テーブルと前記ベースとの間を常時引っ張り合うように連結したから、打席テーブルの姿勢がより安定し、スイング時の打席テーブルが揺らぐことを確実に抑制することができる。
【００２２】
請求項７に係るゴルフ練習機は、前記制御部として、制御盤側の受信器と、使用者側のリモコン式送信器を備えたことを特徴とする。
【００２３】
請求項７に係るゴルフ練習機によると、打席テーブル上から使用者自身がリモコン式送信機を使って両駆動モータを制御することにより、容易に打席テーブルを任意の方向に任意の角度傾斜させてその設定・変更をすることができ、操作性に優れる。
【考案の効果】
【００２４】
本考案のゴルフ練習機によると、打席テーブルを任意の方向に任意の角度傾斜させることができるようにしたゴルフ練習機を、簡素かつコンパクトな装置で実現することができる効果が得られる。
【００２５】
また、打席テーブルを連結部材を介してベースに連結すると共に揺動板を回動軸に対し自由回転可能としたので、回転板を回転させても打席テーブルは回転せず揺動するだけで打席テーブルが常に同じ方向を向くようにすることができ、使い勝手に優れる効果が得られる。
【考案を実施するための最良の形態】
【００２６】
以下、本考案に係るゴルフ練習機について、第1の実施の形態を図１ないし図９を参照して説明する。図１から図９において、本考案に係るゴルフ練習機１は、ベース２と、回転板３と、揺動板４と、打席テーブル５と、制御盤６とを備えている。
【００２７】
ベース２は、回転機構７、揺動機構８及び打席テーブル５等を支持するための円形の台であって、その上面の中央部に中空の固定ハブ９が固定されており、この固定ハブ９には上下の軸受１０、１１を介して駆動軸１２が上向きに軸支されているとともに、補強板９ａによって補強されている。
【００２８】
駆動軸１２の上端には大プーリ１３が固定され、この大プーリ１３にはベース２の上面に固定された回転用駆動モータ１４の出力軸１４ａの回転を減速して出力する減速機１５の出力軸１５ａに固定された小プーリ１６との間にタイミングベルト１７が巻き掛けられており、駆動モータ１４の回転を減速して駆動軸１２をゆっくりと回動させるようになっている。
【００２９】
これら駆動軸１２、大プーリ１３、駆動モータ１４、減速機１５、小プーリ１６、タイミングベルト１７等は、回転板３を回転させるための回転機構７を構成する。なお、減速機１５は、入力軸１５ａに連結されたウォームと、これに噛み合うウォーム歯車（ともに図示せず）から構成され、このウォーム歯車は前記出力軸１５ａに連結されている。また、駆動モータ１４側の出力軸１４ａと減速機１５側の入力軸１５ｂとはカップリング１８によって連結されている。
【００３０】
回転板３は、揺動機構８を図４の矢印Ａ方向又はＢ方向に回転させるためのものであって、駆動軸１２上端の前記大プーリ１３の上面に固定されている。この回転板３の上面の中央部には、前記揺動板４を揺動させる揺動軸が上向きに配置されるが、この揺動軸は、揺動板４の下面中央に固定された揺動軸本体１９を備えている。この揺動軸本体１９は、上下の軸受２０，２１を介して中空の揺動軸本体用ハブ２２に自由回転可能に軸支されている。
【００３１】
揺動軸本体用ハブ２２は、その上端寄りにおいて、一対の水平支持ピン２３，２３を介して両脇の支持板２４，２４間に軸支されている。両支持板２４，２４は、前記回転板３の上面に所定間隔をおいて固定されており、補強板２５，２５によって補強されている。
【００３２】
前記揺動軸本体用ハブ２２の下端周面には下面プレート２６が取り付けられ、この下面プレート２６の下面に固定軸２７が固定されている。この固定軸２７は、前記揺動軸本体１９と同一軸線上に配置され、揺動軸本体１９とともに揺動軸を構成する。かかる固定軸２７は、前記揺動軸本体用ハブ２２を介して揺動軸本体１９と一体となって水平支持ピン２３回りに傾斜可能とされるとともに、傾斜姿勢で駆動軸１２回りに揺動可能とされている。
【００３３】
前記固定軸２７には軸受２８を介して筒状の固定軸支え部２９が環装されており、この固定軸支え部２９は一対の連結ピン３０，３０を介して一対のネジ棒３１，３１の回転運動によって回転板３上面を移動可能な一対のナット部３２，３２に連結されている。このネジ棒３１，３１は固定軸支え部２９の両側に所定間隔をおいて互いに平行に配置され、ネジ棒３１周囲のネジ部３１ａがナット部３２の内周面に螺合している。また、各ネジ棒３１，３１のそれぞれは、両端の軸受３３，３３を介して取付部３４，３５に軸支されている。
【００３４】
したがって、前記固定軸２７は、ネジ棒３１，３１の正逆回転によって、ナット部３２，３２が前進・後退し、ナット部３２の前進によって固定軸２７が前進する結果、揺動軸全体（揺動軸本体１９および固定軸２７）が水平支持ピン２３の回りに回動し、揺動板４が傾斜するようになっている。
【００３５】
前記ナット部３２，３２は、回転板３上面の揺動軸ガイド板３６の上面に固定されている。この揺動軸ガイド板３６には揺動軸の固定軸２７を収容する開口部３６ａが形成されている。また、回転板３の上面には前記固定軸２７を進退方向にガイドするガイド溝３ａが形成されている。
【００３６】
一方の取付部３４側には、両ネジ棒３１，３１を正逆回転させるギヤードモータ（揺動用駆動モータ）３７が回転板３上面に設置されている。このギヤードモータ３７の出力軸に連結される駆動側歯車３８が取付部３４の外側面に軸支され、この駆動側歯車３８からの駆動力は左右の中間歯車３９，３９を介して各ネジ棒３１，３１の端部に連結された従動側歯車４０，４０に伝達されるようになっている。
【００３７】
前記揺動板４の傾斜角度は０度（水平位置）から最大２０度に設定され、揺動板４の傾斜角度が最小値（０度）および最大値（２０度）に達したときにリミットスイッチ機構４１が作動するようになっている。
【００３８】
このリミットスイッチ機構３９は、図７に示すように、前記従動側歯車４０の出力軸に固定された小プーリ４２と前記取付部３４の上方に取り付けられた取付板４３に軸支された中間プーリ４４との間にタイミングベルト４５が巻き掛けられ、前記中間プーリ４４に固定された小プーリ４４ａと前記取付板４３に軸支された大プーリ４６との間にタイミングベルト４７が巻き掛けられており、大プーリ４５の周方向２箇所に取り付けられた作動カム４８ａ，４８ｂが、それぞれに対応して前記取付板４３に取り付けられたリミットスイッチ４９ａ，４９ｂを押圧したとき、押圧されたリミットスイッチ４９ａ，４９ｂから信号が制御部６に送られて作動するようになっている。
【００３９】
すなわち、ネジ棒３１が正回転すると、大プーリ４６が図７の矢印Ｃ方向に回動し、作動部４８ａがリミットスイッチ４９ａに当接してギヤードモータ３７の回転が停止する。このとき、揺動板４は最大傾斜角度（２０度）で停止する。一方、ネジ棒３１が逆回転すると、大プーリ４６が図７の矢印Ｄ方向に回動し、作動カム４８ｂがリミットスイッチ４９ｂに当接してギヤードモータ３７が停止する。このとき、揺動板４は最小角度（０度）の水平状態で停止する。
【００４０】
揺動板４は、打席テーブル５を傾斜または揺動させるためのものであって、図１に示すように、この揺動板４の上面には打席テーブル５が固定されている。この打席テーブル５と前記ベース３とは連結部材であるゴム板５０によって互いに連結されている。このゴム板５０は、前記揺動板４を揺動できるように撓み部５０ａを有する。このゴム板５０は、打席テーブル５およびベース３を全周に亘って連結してもよいが、本実施形態では、２枚のゴム板５０，５０が対称に取り付けられている。
【００４１】
前記打席テーブル５の下面には２つの断面円弧状のゴム板用取付板５ａ，５ａが対称に取り付けられ、また、前記ベースの上面には２つの同じく断面円弧状のゴム板用取付板２ａ，２ａが対称に取り付けられている。そして、各ゴム板５０の上端が前記打席テーブル５側のゴム板用取付板５ａの外周に、下端が前記ベース２側のゴム板用取付板２ａの外周に、それぞれ着脱可能に取り付けられている。このゴム板５０の材質は、補強された弾性ゴムからなる。
【００４２】
打席テーブル５は、練習者が乗ってゴルフボールをショットするための台であり、上面縁部に環状の側板部５ｂが設けられている。側板部５ｂ内の上面にはゴルフ用の人工芝を貼着することができ、その前端部分にはゴルフボールを載せるピン５１が配設されている。
【００４３】
制御部６は、駆動モータ１４およびギヤードモータ３７を制御して回転板３の回転角度及び揺動板４の傾斜角度を任意の位置に設定するためのものであり、図８に示すように、制御盤５２と、制御盤５２に内蔵された図示しない制御回路と、制御盤５２の前面に設けられた受信器５３と、練習者が制御信号を送信するペンダント型のリモコン式送信器５４とを備えている。
【００４４】
前記制御盤５２は、ゴルフ練習機１の設置の邪魔にならない場所に設置され、制御盤５２からは、駆動モータ１４およびギヤードモータ３７を駆動するための電力を供給する配線５５と、電源につなぐための配線５６とが延びている。また、制御盤５２の前面には、リモコン式送信器５４の代わりに制御信号を送る押釦スイッチ５７と、ゴルフ練習機を設定した時間だけ作動させるためのタイマー用のコイン投入口５８とが装備されている。
【００４５】
前記配線５５の一部は、図２に示すようにベース２の上面に固定されたスリップリング５９に接続され、このスリップリング５９を介して電力および制御部６からの制御信号をギヤードモータ３７に伝達するようになっている。
【００４６】
前記リモコン式送信器５４には、図９に示すように、揺動板４の傾斜角度を設定するための２個の傾斜用押釦スイッチ６０Ａ，６０Ｂ（傾斜用と復帰用）と、回転板３の回転角度を設定するための２個の回転用押釦スイッチ６１Ａ，６１Ｂ（時計回り用と半時計回り用）とが装備されている。前者の傾斜用押釦スイッチ６０Ａ，６０Ｂは、揺動板４の傾斜角度を０度から２０度の範囲で任意の角度に設定することができる。また、後者の回転用押釦スイッチ６１Ａ，６１Ｂは回転板３の回転角度を３６０度の範囲で任意の角度だけ回転させることができるようになっている。
【００４７】
次に、以上のように構成された本考案に係るゴルフ練習機１の作用について説明する。本考案に係るゴルフ練習機１を用いてゴルフのショット練習を行う場合には、練習者は、まず打席テーブル５の向き（ショットする向き）を決めるべく、リモコン式送信器５４の回転用押釦スイッチ６１Ａ，６１Ｂの一方を操作する。
【００４８】
回転用押釦スイッチ６１Ａを時計回り用に設定し、回転用押釦スイッチ６１Ａを操作すると、ギヤードモータ３７が回転し、回転板３が時計回りに回転する。回転用押釦スイッチ６１Ｂを操作すると、ギヤードモータ３７が逆回転し、回転板３が反時計回りに回転する。したがって、練習者は、２個の回転用押釦スイッチ６１Ａ，６１Ｂを操作することで、自分の好きな向きを設定・変更・修正することができる。
【００４９】
次に、打席テーブル５を希望する傾斜角度に設定する。図１の実線に示すように水平状態にある打席テーブル５を同図の仮想線で示す角度θ１だけ前下がりの状態とするには、リモコン式送信器５４の傾斜用押釦スイッチ６０Ａを操作すると、ギヤードモータ３７が回転を始め、図５に示すように、ネジ棒３１、ナット部３２を介して固定軸２７が図５の矢印Ｅ方向へ前進する。
【００５０】
固定軸２７の前進により揺動板４が水平支持ピン２３を中心として傾斜する。所望の傾斜角度に達したら、傾斜用押釦スイッチ６０Ａの操作を止め、ギヤードモータ３７の回転が停止する。傾斜用押釦スイッチ６０Ａの操作を継続すると、振動板４が最大傾斜角度２０度に達した時点で、リミットスイッチ機構４１の作動カム４８ａがリミットスイッチ４９ａを押圧するから、リミットスイッチ４９ａが信号を制御部６に送出してギヤードモータ３７の回転が停止する。
【００５１】
打席テーブル５を図１仮想線で示す角度θ２だけ前上がりの状態とするには、図１仮想線で示す前下がりの状態から、リモコン式送信器５４の回転用押釦スイッチ６１Ａを操作する。駆動モータ１４が回転し、固定軸２７および揺動軸本体１９が駆動軸１２回りにゆっくりと揺動する。このとき揺動板４は回転板３に対し自由回転可能とされ、打席テーブル５はゴム板５０の連結によって回転不能とされているから、揺動板４の揺動に従って打席テーブル５もゆっくりと揺動する。回転板３が１８０度回転した時点で回転用押釦スイッチ６１Ａの操作を止めると、打席テーブル５が図１仮想線で示す前上がり状態となる。
【００５２】
水平状態にある打席テーブル５を右下がりの状態とするには、リモコン式送信器５４の回転用押釦スイッチ６１Aを操作する。駆動モータ１４が回転し、回転板３がゆっくりと９０度時計回りに回転した時点で回転用操作押釦スイッチ６１Ａの操作を止める。次に、傾斜用押釦スイッチ６０Ａを操作する。ギヤードモータ３７が回転し、ネジ棒３１、ナット部３２を介して固定軸２７が前進する。固定軸２７の前進により揺動板４が水平支持ピン２３を中心として右下がりに傾斜する。所望の傾斜角度に達したら、傾斜用押釦スイッチ６０Ａの操作を止めると、ギヤードモータ３７の回転が停止する。この状態で打席テーブル５が右下がり状態となる。
【００５３】
そして打席テーブル５を右下がりの状態から左下がりの状態とするには、リモコン式送信器５４の回転用押釦スイッチ６０Ａを操作し、回転板３をゆっくりと１８０度時計回りに回転させる。
【００５４】
上記した傾斜用押釦スイッチ６０Ａ，６０Ｂ、回転用押釦スイッチ６１Ａ，６１Ｂは、ボタンを操作している間だけ作動するようにして任意の位置で停止できるようにしているが、例えば５度間隔で作動・停止を繰り返すように設定してもよい。      
【００５５】
また、打席テーブル５の傾斜角度と回転角度をそれぞれカウントして、制御盤５２の前面に表示部を設けて数字を表示させるようにしてもよい。
【００５６】
さらに、打席テーブル５の上面に砂場を設けてサンドウェッジの練習をするようにしてもよい。
【００５７】
図１に示す練習者は右打ちを示しており、上記の実施形態では右打ちを前提に作用を説明したが、ゴルフ練習機１を左打ち用に変更する場合は、次のように行う。ゴム板５０を２枚とも打席テーブル５およびベース２から取り外す。ゴム板５０を取り外した後、打席テーブル５を１８０度手動で回転させる。打席テーブル５は揺動板４が回転板３に対し自由回転可能とされているから、打席テーブル５だけを手動で回転させることができる。打席テーブル５を１８０度回転させたら、再び２枚のゴム板５０を打席テーブル５およびベース２に連結する。後は、リモコン式送信器５４を使って、右打ちの場合と同様にして、打席テーブル５を任意の方向に任意の角度だけ傾斜させればよい。
【００５８】
図１０および図１１は、本考案に係るゴルフ練習機の第２の実施形態を示すもので、図１０および図１１において、第1の実施形態で示した構成と同一構成には同一符号を付して、その説明は省略する。
【００５９】
本実施形態においては、連結部材として引っ張りコイルバネ（ばね部材）６２を用い、この引っ張りコイルバネ６２で打席テーブル５とベース２との間を常時引っ張り合うように連結したことを特徴とする。
【００６０】
すなわち、図１０に示すように、打席テーブル５の下面に引っ張りコイルバネ用取付板５ｃが取り付けられ、この引っ張りコイルバネ用取付板５ｃの外周面に引っ張りコイルバネ（ばね部材）６２の上端が取付ネジ６３およびナット６４によって着脱可能に取り付けられている。同じく、ベース２の上面に引っ張りコイルバネ用取付板２ｂが取り付けられ、この引っ張りコイルバネ用取付板２ｂの外周面に引っ張りコイルバネ（ばね部材）６２の下端が取付ネジ６３およびナット６４によって着脱可能に取り付けられている。
【００６１】
この引っ張りコイルバネ６２は、図１１に示すように、ベース２（および打席テーブル５）の周上６箇所（ベース２の外周部を６等分した位置）にそれぞれ取り付けられている。それぞれの引っ張りコイルバネ６２は、打席テーブル５の水平姿勢および最大傾斜姿勢（傾斜角度２０度）のいずれにおいても、打席テーブル５が揺れない程度に所要の引っ張り力が均等に付与されている。したがって、水平姿勢および任意方向への傾斜姿勢のいずれにおいても打席テーブルの姿勢がより安定し、スイング時の打席テーブルが揺らぐことを確実に抑制することができる。
【００６２】
上記実施の形態では、引っ張りコイルバネ６２を周上６箇所配置することにしたが、これに限らず、例えば、周上等分に３箇所、４箇所、８箇所配置するようにしてもよい。
【産業上の利用可能性】
【００６３】
本考案のゴルフ練習機は、ゴルフ練習場や、一般家庭における自宅の敷地内に設置して使用することができる。
【図面の簡単な説明】
【００６４】
【図１】本考案に係るゴルフ練習機の第1の実施形態を示す全体正面図、
【図２】同ゴルフ練習機の一部を断面視した要部正面図、
【図３】同ゴルフ練習機の一部を断面視した要部側面図、
【図４】同ゴルフ練習機の一部を断面視した要部平面図、
【図５】同ゴルフ練習機の揺動機構を示す図、
【図６】同ゴルフ練習機の回転機構を示す図、
【図７】同ゴルフ練習機のリミットスイッチ機構を示す図、
【図８】同ゴルフ練習機の制御部を示す斜視図、
【図９】同ゴルフ練習機のリモコン式送信器を示す図である。
【図１０】本考案に係るゴルフ練習機の第２の実施形態を示す全体正面図、
【図１１】同ゴルフ練習機の一部を断面視した要部平面図、
【符号の説明】
【００６５】
１  ゴルフ練習機
２  ベース
２ａ，５ａ  ゴム板用取付板
２ｂ，５ｃ  引っ張りコイルバネ用取付板
３  回転板
４  揺動板
５  打席テーブル
５ｂ  側板部
６  制御部
７  回転機構
８  揺動機構
９  固定ハブ
１０，１１，２０，２１，２８，３３  軸受
１２  駆動軸
１３，４６  大プーリ
１４  回転用駆動モータ
１４ａ，１５ａ  出力軸
１５  減速機
１５ｂ  入力軸
１６，４２  小プーリ
１７，４５，４７  タイミングベルト
１８  カップリング
１９  揺動軸本体
２２  揺動軸本体用ハブ  
２３  水平支持ピン
２４  支持板
２５  補強板
２６  下面プレート
２７  固定軸
２９  固定軸支え部（揺動軸支え部）
３０  連結ピン
３１  ネジ棒
３１ａ  ネジ部
３２  ナット部
３４，３５  取付部
３６  揺動軸ガイド板
３７  ギヤードモータ（揺動用駆動モータ）
３８  駆動側歯車
３９  中間歯車
４０  従動側歯車
４１  リミットスイッチ機構
４３  取付板
４４  中間プーリ
４８ａ，４８ｂ  作動カム
４９ａ，４９ｂ  リミットスイッチ
５０  ゴム板（連結部材）
５０ａ  弛み部
５１  ピン
５２  制御盤
５３  受信器
５４  リモコン式送信器
５５，５６  配線
５７  押釦スイッチ
５８  コイン投入口
５９  スリップリング
６０Ａ，６０Ｂ  傾斜用押釦スイッチ
６１Ａ，６１Ｂ  回転用押釦スイッチ
６２  引っ張りコイルバネ（ばね部材）
６３  取付ネジ
６４  ナット
【図１】
0003109398.tif 000003
【図２】
0003109398.tif 000004
【図３】
0003109398.tif 000005
【図４】
0003109398.tif 000006
【図５】
0003109398.tif 000007
【図６】
0003109398.tif 000008
【図７】
0003109398.tif 000009
【図８】
0003109398.tif 000010
【図９】
0003109398.tif 000011
【図１０】
0003109398.tif 000012
【図１１】
0003109398.tif 000013